(57)【要約】  少なくとも圧縮機及び室外熱交換器を有する室外機と、室外機に冷媒配管を介して接続され、リモコン２０の操作に基づいて室内の空調を室外機とで行う室内機１０とを備え、室内機１０は、室内機１０に予め設定された複数の機能の中から、室内機１０の据付環境に応じて何れかの機能を選択する複数のディップスイッチ６１と、リモコン２０での室内機１０に予め設定された複数の機能の中からの選択が有効あるいは無効の何れかに切り替える切替スイッチ６２と、複数のディップスイッチ６１により選択された機能を初期設定とし、切替スイッチ６２によりリモコン２０での選択が有効となっていたときには、リモコン２０によって選択された機能を優先するマイコン６３とを有している。
2016103438.tif 000002
【特許請求の範囲】
【請求項１】
少なくとも圧縮機及び室外熱交換器を有する室外機と、
前記室外機に冷媒配管を介して接続され、リモコンの操作に基づいて室内の空調を前記室外機とで行う室内機と
を備え、
前記室内機は、
前記室内機に予め設定された複数の機能の中から、前記室内機の据付環境に応じて何れかの機能を選択する機能選択手段と、
前記リモコンでの前記室内機に予め設定された複数の機能の中からの選択が有効あるいは無効の何れかに切り替える切替手段と、
前記機能選択手段により選択された機能を初期設定とし、前記切替手段により前記リモコンでの選択が有効となっていたときには、前記リモコンによって選択された機能を優先する制御部と
を有することを特徴とする空気調和機。
【請求項２】
前記制御部は、前記リモコンによって選択された機能が前記機能選択手段により選択された機能と重複するときには、前記リモコンによって選択された機能を優先して変更し、前記リモコンによって選択された機能が前記機能選択手段により選択された機能にないときには、前記リモコンによって選択された機能を優先して付加することを特徴とする請求項１記載の空気調和機。
【請求項３】
少なくとも圧縮機及び室外熱交換器を有する室外機と、
前記室外機に冷媒配管を介して接続され、リモコンの操作に基づいて室内の空調を前記室外機とで行う室内機と
を備え、
前記室内機は、
前記室内機に予め設定された複数の機能の中から、前記室内機の据付環境に応じて何れかの機能を選択する機能選択手段と、
前記リモコンでの前記室内機に予め設定された複数の機能の中からの選択が有効あるいは無効の何れかに切り替える切替手段と、
前記切替手段での選択が有効となっていたときに、前記リモコンによって選択された機能を初期設定として読み込む制御部と
を有することを特徴とする空気調和機。
【請求項４】
前記制御部は、予め設定された時間帯のみ前記リモコンによって選択された機能を初期設定として読み込むことを特徴とする請求項１〜３の何れか１項に記載の空気調和機。
【請求項５】
前記リモコンは複数設けられ、
前記切替手段は、前記リモコンの数に応じて設けられ、
前記制御部は、前記切替手段の切替に基づいて機能選択の有効なリモコンを決定することを特徴とする請求項１〜３の何れか１項に記載の空気調和機。
【発明の詳細な説明】
【技術分野】
【０００１】
本発明は、空気調和機に関するものである。
【背景技術】
【０００２】
一般に、業務用の空気調和機の室内機を据え付けた後、室内機に予め設定された複数の機能の中から、天井の高さ、埃が起こりやすい部屋等、室内機の据付環境に応じて機能を選択し、初期設定として室内機の運転に用いられている。初期設定は、リモコン等で行われるが、空気調和機の通常運転時に誤操作、いたずら等によって変更されることがある。【０００３】
従来、リモコンで初期設定が変更されないようにするために、例えば、電池ポートに電池を入れてから通常設定モードに移行する前の一定時間内に、リモコンに設けられた操作スイッチの何れか２つの操作スイッチを同時にオン操作することによって、初期設定が可能な特殊モードに移行するものがある（例えば、特許文献１参照）。【０００４】
また、リモコンに設けられた所定の切換スイッチを長押しすることで、デモモードへ切り換えてモコンでの通常運転の操作を禁止するものがある（例えば、特許文献２参照）。
【先行技術文献】
【特許文献】
【０００５】
【特許文献１】特開２０１３−２４２０６２号公報
【特許文献２】特開２００２−８１７２５号公報
【発明の概要】
【発明が解決しようとする課題】
【０００６】
しかしながら、特許文献１に記載の技術では、初期設定を変更したい場合には電池ポートを抜き差ししなければならず、操作方法を知ってしまえば、リモコンにより初期設定の変更ができるようになる。【０００７】
また、特許文献２に記載の技術では、通常運転時に誤動作やいたずらによって変更が容易に行われてしまう。【０００８】
本発明は、前述のような課題を解決するためになされたもので、室内機の据付環境のニーズに応じて初期設定を選択できる空気調和機を提供することを目的とする。
【課題を解決するための手段】
【０００９】
本発明に係る空気調和機は、少なくとも圧縮機及び室外熱交換器を有する室外機と、室外機に冷媒配管を介して接続され、リモコンの操作に基づいて室内の空調を室外機とで行う室内機とを備え、室内機は、室内機に予め設定された複数の機能の中から、室内機の据付環境に応じて何れかの機能を選択する機能選択手段と、リモコンでの室内機に予め設定された複数の機能の中からの選択が有効あるいは無効の何れかに切り替える切替手段と、機能選択手段により選択された機能を初期設定とし、切替手段によりリモコンでの選択が有効となっていたときには、リモコンによって選択された機能を優先する制御部とを有している。
【発明の効果】
【００１０】
本発明によれば、リモコンでの機能選択が有効あるいは無効の何れかを室内機の据付環境に応じて選択できるようにしているので、機能選択手段あるいはリモコンによる初期設定を容易に変更することができない。
【図面の簡単な説明】
【００１１】
【図１】本発明の実施の形態１に係る空気調和機を示す概略システム図。
【図２】図１に示す室内機の縦断面図。
【図３】本発明の実施の形態１に係る空気調和機の室内機及びリモコンの概略ブロック図。
【図４】図３に示す室内機のマイコンの動作を示すフローチャート。
【図５】図３のマイコンの動作の変形例を示すフローチャート。
【発明を実施するための形態】
【００１２】
実施の形態１．
図１は本発明の実施の形態１に係る空気調和機を示すの概略システム図、図２は図１に示す室内機の縦断面図である。
【００１３】
実施の形態における空気調和機は、図１に示すように、例えば天井埋込型の室内機１０と、室内機１０に冷媒配管５０を介して接続された室外機３０と、室内機１０に通信線４０を介して接続されたリモコン２０（リモートコントローラ）とを備えている。なお、リモコン２０を、ワイヤードリモコンとしたが、これに代えて、ワイヤレスリモコンでも良い。
【００１４】
室内機１０は、後述するが、室内熱交換器、室内送風機等を備えている。室内機１０の室内熱交換器は、冷房運転時には蒸発器として作用し、暖房運転時には凝縮器として作用する。室外機３０は、圧縮機、四方弁、室外熱交換器、膨張弁、室外送風機等を備えている。室外機３０の室外熱交換器は、冷房運転時には凝縮器として作用し、暖房運転時には蒸発器として作用する。
【００１５】
室内機１０は、図２に示すように、天井板に開けられた開口に嵌め込まれて固定され、下部が開口された箱形状の筐体１１、室内送風機を構成するＤＣモーター１２（又はＡＣモーター）及びターボファン１４、ベルマウス１５、室内熱交換器１６等によって構成されている。
【００１６】
筐体１１の開口は、図示していないが、化粧パネルによって覆われている。化粧パネルの中央部には、室内の空気を吸い込むための吸込グリルが設けられ、この吸込グリルには、室内の空気に含まれる塵埃を取り除くフィルタが設けられている。また、化粧パネルの吸込グリルの周囲には、空気吹出口１８が設けられている。つまり、空気吹出口１８は４方向となっている。この空気吹出口１８には、空気の吹き出し方向を可変する風向ベーンが取り付けられている。
【００１７】
ＤＣモーター１２は、筐体１１内の上部に取り付けられている。ターボファン１４は、ＤＣモーター１２の回転軸１３に装着されている。このターボファン１４は、中央が空気の吸引側に湾曲する円錐台形状の湾曲部１４ａと、湾曲部３ａの下方に配置された円環形状のシュラウド１４ｂと、湾曲部１４ａとシュラウド１４ｂとの間に周方向に設けられた複数の羽根１４ｃと、湾曲部１４ａの頂部にＤＣモーター１２の回転軸１３を固定するボス１４ｄとを備えている。ベルマウス１５は、吸込グリルとで、ターボファン１４により吸引される空気の吸込風路１７を形成している。この吸込風路１７には、室内制御基板６０が設けられている。室内熱交換器１６は、ターボファン１４の外周を囲むように設けられている。
【００１８】
前記のように構成された室内機１０においては、ＤＣモーター１２の駆動によりターボファン１４が回転すると、室内の空気は、化粧パネルの吸込グリルから吸引され、フィルタを介して吸込風路１７内に入り、ベルマウス１５内を通過する。ベルマウス１５を通過した空気は、ＤＣモーター１２の回転軸１３の軸方向の上方に吸引され、ターボファン１４の湾曲部１４ａに沿って直角に向きを変えてターボファン１４から周方向に吹き出される。ターボファン１４から吹き出された空気は、室内熱交換器１６と熱交換し、化粧パネルの空気吹出口１８から室内へ吹き出される。
【００１９】
次に、室内機１０及びリモコン２０のブロック構成について、図３を用いて説明する。図３は本発明の実施の形態１に係る空気調和機の室内機及びリモコンの概略ブロック図である。なお、室内機１０側にタイマー６５が示されているが、後述する実施の形態２で用いるので、実施の形態１においてはタイマー６５がないものとして説明する。
【００２０】
リモコン２０は、液晶表示部２１、液晶表示部２１の画面上に表示されたカーソルを左右上下に移動させる機能選択スイッチ２２、空気調和機の運転・停止スイッチ２３ａ、メニュー選択スイッチ２３ｂ等を備えている。また、本発明における制御部の機能を有するマイコン７１、通信回路７２等が実装されたリモコン制御基板７０が設けられている。
【００２１】
リモコン２０のマイコン７１は、メニュー選択スイッチ２３ｂにより「機能選択」が選択されると、室内機１０の初期設定と判断して、例えば、「フィルタサイン」、「風量」、「吹出口の数」及び「風向ベーン」の各項目を液晶表示部２１の画面上に表示する。初期設定は、室内機１０の据付工事の完了後に、据付環境に応じて行われる。据付環境とは、室内機１０の据付場所（事務所、店舗、ホテル、学校等）、部屋の用途、室内機１０の据付高さ、室内機１０の設置位置、室内機１０が設置された部屋の大きさ等である。
【００２２】
このマイコン７１は、機能選択スイッチ２２により「フィルタサイン」が選択されたときには、１００時間後にフィルタの交換サインを表示する「１００時間」、２５００時間後にフィルタの交換サインを表示する「２５００時間」及び「フィルタの交換サインを表示なし」の各情報を初期設定の内容として表示する。そして、マイコン７１は、機能選択スイッチ２２により何れかが選択されたときには、選択された初期設定の情報を室内機１０に送信する。なお、交換サインを表示する時間については、これらに限定されるものではない。
【００２３】
マイコン７１は、機能選択スイッチ２２により「風量」が選択されたときには、「静音」、静音時の風量と風量強との間の風量である「標準風量」及び「風量強」の各情報を初期設定の内容として表示する。そして、マイコン７１は、機能選択スイッチ２２により何れかが選択されたときには、選択された初期設定の情報を室内機１０に送信する。例えば、天井が２．８ｍよりも低い天井の場合は「静音」、天井が２．８ｍのときには「標準風量」、天井が４．０ｍのときには「風量強」が選択される。
【００２４】
また、マイコン７１は、機能選択スイッチ２２により「吹出口の数」が選択されたときには、吹出口を４方向とする「４方向」、吹出口を３方向とする「３方向」及び吹出口を２方向とする「２方向」の各情報を初期設定の内容として表示する。そして、マイコン７１は、機能選択スイッチ２２により何れかが選択されたときには、選択された初期設定の情報を室内機１０に送信する。
【００２５】
また、マイコン７１は、機能選択スイッチ２２により「風向ベーン」が選択されたときには、「第１初期角度」、「第２初期角度」及び「第３初期角度」の各情報を初期設定の内容として表示する。そして、マイコン７１は、前述のように機能選択スイッチ２２により何れかが選択されたときには、選択された初期設定の情報を室内機１０に送信する。第１初期角度は、風向ベーンが床面に対して平行な角度である。第２初期角度は、第１初期角度よりも下側に向けられた角度である。また、第３初期角度は、第２初期角度よりもさらに下側に向けられた角度である。例えば、初期設定として第２初期角度が選択された場合、風向ベーンは、第２初期角度のときに空気吹出口１８の開度を最大限とし、鉛直方向との間で上下動する。
【００２６】
室内機１０の室内制御基板６０には、機能選択手段である複数のディップスイッチ６１、切替手段である切替スイッチ６２、マイコン６３、通信回路６４等が実装されている。複数のディップスイッチ６１は、室内機１０に設定された「フィルタサイン」、「風量」、「吹出口の数」及び「風向ベーン」の各項目に対し、全ての項目あるいは一部の項目を選択して設定するスイッチである。
【００２７】
例えば２つのディップスイッチ６１ａ・６１ｂ、６１ｃ・６１ｄ、６１ｅ・６１ｆ、６１ｇ・６１ｈをそれぞれ一組とし、それぞれ「フィルタサイン」、「風量」、「吹出口の数」及び「風向ベーン」の各項目に対応させている。
【００２８】
例えば、ディップスイッチ６１ａ・６１ｂは、前述した「１００時間」、「２５００時間」及び「フィルタの交換サインを表示なし」の各情報から選択する。例えば、ディップスイッチ６１ａをオン、ディップスイッチ６１ｂをオフしたときには、「１００時間」が初期設定として選択される。また、ディップスイッチ６１ａをオフ、ディップスイッチ６１ｂをオンしたときには、「２５００時間」が初期設定として選択される。さらに、ディップスイッチ６１ａ、６１ｂを共にオンしたときには、「フィルタの交換サインを表示なし」が初期設定として選択される。
【００２９】
ディップスイッチ６１ｃ・６１ｄは、前述した「静音」、「標準風量」及び「風量強」の各情報から選択する。例えば、ディップスイッチ６１ｃをオン、ディップスイッチ６１ｄをオフしたときには、「静音」が初期設定として選択される。また、ディップスイッチ６１ｃをオフ、ディップスイッチ６１ｄをオンしたときには、「標準風量」が初期設定として選択される。さらに、ディップスイッチ６１ｃ、６１ｄを共にオンしたときには、「風量強」が初期設定として選択される。
【００３０】
ディップスイッチ６１ｅ・６１ｆは、前述した「４方向」、「３方向」及び「２方向」の各情報から選択する。例えば、ディップスイッチ６１ｅをオン、ディップスイッチ６１ｆをオフしたときには、「４方向」が初期設定として選択される。また、ディップスイッチ６１ｅをオフ、ディップスイッチ６１ｆをオンしたときには、「３方向」が初期設定として選択される。さらに、ディップスイッチ６１ｅ、６１ｆを共にオンしたときには、「２方向」が初期設定として選択される。
【００３１】
ディップスイッチ６１ｇ・６１ｈは、前述した「第１初期角度」、「第２初期角度」及び「第３初期角度」の各情報の何れかを選択する。例えば、ディップスイッチ６１ｇをオン、ディップスイッチ６１ｈをオフしたときには、「第１初期角度」が初期設定として選択される。また、ディップスイッチ６１ｇをオフ、ディップスイッチ６１ｈをオンしたときには、「第２初期角度」が初期設定として選択される。さらに、ディップスイッチ６１ｇ、６１ｈを共にオンしたときには、「第３初期角度」が初期設定として選択される。
【００３２】
切替スイッチ６２、例えばディップスイッチからなり、リモコン２０での初期設定の有効又は無効の何れかを選択するスイッチである。例えば、切替スイッチ６２がオン状態のときにリモコン２０での初期設定が有効となる。
【００３３】
マイコン６３は、リモコン２０により選択された冷房運転あるいは暖房運転の何れかの情報が通信回路６４を介して受信されたときには、その情報を室外機３０に送信する。また、マイコン６３は、リモコン２０により設定された室内の設定温度、風量、風向等が通信回路６４を介して受信されたときには、受信された設定温度、風量を室外機３０に送信すると共に、設定温度、風量に応じてターボファン１４のＤＣモーター１２を制御し、リモコン２０により設定された風向となるように風向ベーンを制御する。
【００３４】
次に、実施の形態１におけるマイコン６３の動作について、図４を用いて説明する。図４は図３に示す室内機のマイコンの動作を示すフローチャートである。
【００３５】
室内機１０に電源接続により通電が行われると（Ｓ１）、マイコン６３は、ディップスイッチ６１ａ・６１ｂ、６１ｃ・６１ｄ、６１ｅ・６１ｆ、６１ｇ・６１ｈの各オン・オフの組合せを順次に読み込んで、「フィルタサイン」、「風量」、「吹出口の数」及び「風向ベーン」の各項目の初期設定の内容を確認する（Ｓ２）。ディップスイッチ６１ａ・６１ｂ、６１ｃ・６１ｄ、６１ｅ・６１ｆ、６１ｇ・６１ｈの各オン・オフの組合せでの初期設定は、冷房運転あるいは暖房運転のときに実施される。
【００３６】
次いで、マイコン６３は、切替スイッチ６２の接続状態を読み込んで、リモコン２０での初期設定が有効かどうかを確認する（Ｓ３）。マイコン６３は、切替スイッチ６２がオフ状態のときには、初期設定の確認を完了し（Ｓ５）、切替スイッチ６２がオン状態のときには、リモコン２０からの初期設定を読み込む（Ｓ４）。マイコン６３は、ディップスイッチ６１ａ・６１ｂ、６１ｃ・６１ｄ、６１ｅ・６１ｆ、６１ｇ・６１ｈで選択された初期設定に対し、リモコン２０によって設定された初期設定に変更があるときには、リモコン２０で設定された初期設定を優先して変更する。また、マイコン６３は、ディップスイッチ６１ａ・６１ｂ、６１ｃ・６１ｄ、６１ｅ・６１ｆ、６１ｇ・６１ｈで選択された初期設定に対し、リモコン２０によって設定された機能がない場合には、その機能を読み込んで初期設定の内容として付加する。
【００３７】
以上のように実施の形態１によれば、リモコン２０での機能選択（初期設定）が有効あるいは無効の何れかを室内機１０の据付環境に応じて選択できるようにしているので、ディップスイッチ６１あるいはリモコンによる初期設定を容易に変更することができない。
【００３８】
つまり、事務所内、不特定の人が入れない場所にリモコン２０を設置した場合、リモコン２０で初期設定を行ったとしても、容易に初期設定の内容を変更することができない。  また、ホテル等の個室といった不特定多数の人が利用する場所では、リモコン２０を操作することができるため、リモコン２０での初期設定ができないようにしておけば、初期設定の内容を変更されることなく、通常運転で使う機能に限って使用させることができる。
【００３９】
なお、実施の形態１では、ディップスイッチ６１のオン・オフの組合せから初期設定の内容を確認した後、リモコン２０での初期設定が有効かどうかを確認するようにしたが、これに限定されるものではない。例えば図５に示すように、先にリモコン２０での初期設定が有効かどうかを確認するようにしても良い。図５は図３のマイコンの動作の変形例を示すフローチャートである。
【００４０】
この変形例においては、室内機１０に電源接続により通電が行われると（Ｓ１１）、マイコン６３は、切替スイッチ６２の接続状態を読み込んで、リモコン２０での初期設定が有効かどうかを確認する（Ｓ１２）。マイコン６３は、切替スイッチ６２がオフ状態のときには、ディップスイッチ６１ａ・６１ｂ、６１ｃ・６１ｄ、６１ｅ・６１ｆ、６１ｇ・６１ｈの各オン・オフの組合せを順次に読み込んで、「フィルタサイン」、「風量」、「吹出口の数」及び「風向ベーン」の各項目の初期設定の内容を確認し（Ｓ１４）、初期設定を完了する（Ｓ１５）。
【００４１】
また、マイコン６３は、切替スイッチ６２がオン状態のときには、リモコン２０によって設定された「フィルタサイン」、「風量」、「吹出口の数」及び「風向ベーン」の各項目の初期設定の内容を読み込んで、初期設定を完了する（Ｓ１５）。
【００４２】
以上のように、ディップスイッチ６１よりリモコン２０を優先して、初期設定となる機能を選択できる空気調和機においては、リモコン２０を事務所内、不特定の人が入れない場所に設置するような場合に適応しており、ディップスイッチ６１での初期設定の機能を選択する手間がなくなる。
【００４３】
実施の形態２．
実施の形態２は、例えば、室内制御基板に計時手段を追加して、予め設定された時間帯のみ、リモコン２０によって選択された機能を初期設定として有効となるようにしたものである。
【００４４】
図３に示すように、室内制御基板６０に計時手段であるタイマー６５が実装されている。切替スイッチ６２によりリモコン２０での機能選択（初期設定）が有効となっている場合に、予め設定された時間帯のみ、リモコン２０によって選択された機能（初期設定）を読み込むようにしている。前述の時間帯とは、例えば学校等、不特定多数の人が居なくなって、特定の人のみが居る時間帯である。
【００４５】
これにより、学校等の不特定多数の人がリモコン２０に触れる時間帯が決まっている環境において、特定の人のみが居る時間帯に限って初期設定を行うことができるので、容易に初期設定の内容を変更することができない。
【００４６】
なお、実施の形態１、２では、リモコン２０を１つとしたが、２つ以上でも良い。この場合、リモコンの数に応じて切替スイッチ６２を室内制御基板６０に設けて、それぞれの切替スイッチ６２により、対応するリモコン２０の機能選択が有効か無効かを設定する。
【００４７】
このように構成した場合、例えば初期設定の内容が変更できないリモコン２０を店舗に置き、初期設定の内容を変更できるリモコン２０を奥の部屋に設置して、店舗側のリモコン２を不特定多数の人に触らせても初期設定の内容が変更されることはない。
【符号の説明】
【００４８】
１０  室内機、１１  筐体、１２  ＤＣモーター、１３  回転軸、１４  ターボファン、１４ａ  湾曲部、１４ｂ  シュラウド、１４ｃ  羽根、１４ｄ  ボス、１５  ベルマウス、１６  室内熱交換器、１７  吸込風路、１８  空気吹出口、２０  リモコン、２１  液晶表示部、２２  機能選択スイッチ、２３ａ  運転・停止スイッチ、２３ｂ  メニュー選択スイッチ、３０  室外機、４０  通信線、５０  冷媒配管、６０  室内制御基板、６１  ディップスイッチ、６２  切替スイッチ、６３  マイコン、６４  通信回路、７０  リモコン制御基板、７１  マイコン、７２  通信回路、１００  天井板。
【図１】
2016103438.tif 000003
【図２】
2016103438.tif 000004
【図３】
2016103438.tif 000005
【図４】
2016103438.tif 000006
【図５】
2016103438.tif 000007
【手続補正書】
【提出日】平成29年2月7日(2017.2.7)
【手続補正１】
【補正対象書類名】明細書
【補正対象項目名】０００９
【補正方法】変更
【補正の内容】
【０００９】
本発明に係る空気調和機は、少なくとも圧縮機及び室外熱交換器を有する室外機と、室外機に冷媒配管を介して接続され、リモコンの操作に基づいて室内の空調を室外機とで行う室内機とを備え、リモコンは、予め室内機の据付環境に対応して複数の機能が設定され、複数の機能の中から室内機の据付環境に応じて何れかの機能を選択するスイッチを有し、室内機は、予め室内機の据付環境に対応して複数の機能が設定され、複数の機能の中から室内機の据付環境に応じて何れかの機能を選択する機能選択手段と、リモコンにより選択された機能を有効あるいは無効の何れかに設定する切替手段と、機能選択手段により選択された機能を室内機の初期設定として読み込み、その後、切替手段に設定された有効あるいは無効の何れかに応じて、リモコンによって選択された機能を初期設定として読み込むか否かを決定する制御部とを有している。
【手続補正２】
【補正対象書類名】特許請求の範囲
【補正対象項目名】全文
【補正方法】変更
【補正の内容】
【特許請求の範囲】
【請求項１】
少なくとも圧縮機及び室外熱交換器を有する室外機と、
前記室外機に冷媒配管を介して接続され、リモコンの操作に基づいて室内の空調を前記室外機とで行う室内機と
を備え、
前記リモコンは、
予め前記室内機の据付環境に対応して複数の機能が設定され、前記複数の機能の中から前記室内機の据付環境に応じて何れかの機能を選択するスイッチを有し、
前記室内機は、
予め前記室内機の据付環境に対応して複数の機能が設定され、前記複数の機能の中から前記室内機の据付環境に応じて何れかの機能を選択する機能選択手段と、
前記リモコンにより選択された機能を有効あるいは無効の何れかに設定する切替手段と、
前記機能選択手段により選択された機能を前記室内機の初期設定として読み込み、その後、前記切替手段に設定された有効あるいは無効の何れかに応じて、前記リモコンによって選択された機能を初期設定として読み込むか否かを決定する制御部と
を有することを特徴とする空気調和機。
【請求項２】
前記制御部は、前記リモコンによって選択された機能が前記機能選択手段により選択された機能と重複するときには、前記リモコンによって選択された機能を優先して変更し、前記リモコンによって選択された機能が前記機能選択手段により選択された機能にないときには、前記リモコンによって選択された機能を優先して付加することを特徴とする請求項１記載の空気調和機。
【請求項３】
少なくとも圧縮機及び室外熱交換器を有する室外機と、
前記室外機に冷媒配管を介して接続され、リモコンの操作に基づいて室内の空調を前記室外機とで行う室内機と
を備え、
前記リモコンは、
予め前記室内機の据付環境に対応して複数の機能が設定され、前記複数の機能の中から前記室内機の据付環境に応じて何れかの機能を選択するスイッチを有し、
前記室内機は、
予め前記室内機の据付環境に対応して複数の機能が設定され、前記複数の機能の中から前記室内機の据付環境に応じて何れかの機能を選択する機能選択手段と、
前記リモコンにより選択された機能を有効あるいは無効の何れかに設定する切替手段と、
前記切替手段の設定が有効となっていたときに、前記リモコンによって選択された機能を前記室内機の初期設定として読み込み、前記切替手段の設定が無効となっていたときには、前記機能選択手段により選択された機能を前記室内機の初期設定として読み込む制御部と
を有することを特徴とする空気調和機。
【請求項４】
前記制御部は、予め設定された時間帯のみ前記リモコンによって選択された機能を初期設定として読み込むことを特徴とする請求項１〜３の何れか１項に記載の空気調和機。
【請求項５】
前記リモコンは複数設けられ、
前記切替手段は、前記リモコンの数に応じて設けられ、
前記制御部は、前記切替手段の切替に基づいて機能選択の有効なリモコンを決定することを特徴とする請求項１〜３の何れか１項に記載の空気調和機。
【国際調査報告】
2016103438.tif 000008
2016103438.tif 000009
2016103438.tif 000010
2016103438.tif 000011